(57)【要約】【課題】  蓄熱材に蓄えられた熱を長時間にわたって徐々に浴室内に放熱して、長時間にわたり浴室構成部材の表面温度を室温よりも高い状態に保って、浴室構成部材の表面の乾燥状態を長時間にわたって維持してカビの発生を抑制する。【解決手段】  浴室の床又は壁又は天井を構成する浴室構成部材１の基材２の裏面に熱緩衝材３を介して蓄熱材４を設ける。【選択図】        図１
2005133316.tif 000002
【特許請求の範囲】
【請求項１】
浴室の床又は壁又は天井を構成する浴室構成部材の基材の裏面に熱流を調整するための熱緩衝材を介して蓄熱材を設けると共に蓄熱材の裏面に断熱材を設け、上記熱緩衝材の断熱性能が基材よりも高く且つ断熱材よりも低いことを特徴とする請求項１記載の浴室構成部材の構造。
【請求項２】
浴室の床又は壁又は天井を構成する浴室構成部材の基材の裏面に熱流を調整するための熱緩衝材を介して蓄熱材を混入した断熱材を設け、蓄熱材の混入割合を熱緩衝材側が多く、熱緩衝材と反対側が少なくなるように断熱材中における蓄熱材の混入量を傾斜的に分布させ、上記熱緩衝材の断熱性能が基材よりも高く且つ断熱材よりも低いことを特徴とする浴室構成部材の構造。
【発明の詳細な説明】
【技術分野】
【０００１】
本発明は、浴室の床又は壁又は天井を構成する浴室構成部材の構造に関するものである。
【背景技術】
【０００２】
浴室内は入浴していない時でも高湿なので浴室の床又は壁又は天井を構成する浴室構成部材の表面にカビが発生しやすい。そこで、従来から、浴室を乾燥させて浴室の床又は壁又は天井を構成する浴室構成部材の表面におけるカビの発生を抑制しようとする試みが行われている。例えば、換気扇や乾燥機により浴室内を乾燥させたり、あるいは、浴室の床又は壁又は天井を構成する浴室構成部材の裏面にヒータを設けて通電加熱することで乾燥させたりしている。
【０００３】
しかしながら、換気扇で乾燥させようとしても、乾燥が十分に行えず、また、乾燥するのに時間がかかり過ぎるという問題がある。また、乾燥機により浴室内を乾燥させるものにおいては、浴室に乾燥機を設置する必要があり、また、ランニングコストもかかる。また、換気扇や乾燥機によって乾燥する場合、浴室のコーナ部分などが乾燥しにくくてカビが発生したりするという問題がある。
【０００４】
一方、浴室の床又は壁又は天井を構成する浴室構成部材の裏面にヒータを設けて通電加熱することで乾燥させるものにおいては、電気的な安全性の確保や、ヒータ自身にコストがかかり、また、使用者が操作する手間がかかり、更に、電気代もかかるという問題がある。
【０００５】
また、蓄熱材で浴室床を構成し、蓄熱材の下面に断熱材を配すると共に蓄熱材の上面に沿って熱伝導部材を貼着するものも特許文献１により知られている。
【０００６】
この特許文献１に示された従来例は、蓄熱材で蓄熱した熱を表面の熱伝導部材により素早く浴室内に放熱するものであり、蓄熱材に蓄熱した熱を長時間にわたり徐々に放熱するものではなく、浴室内の温度よりも床の温度が長時間高い状態が続きにくく、したがって、床の温度が低くなると浴室床の表面に付着した水滴を蒸発させることができず、また、蓄熱材に蓄熱した熱が浴室内に放熱されて浴室床の温度が浴室内の温度よりも低くなった時点で浴室内の湿気が浴室床の表面に結露する現象が発生し、これらの理由により依然として浴室床の表面にカビが発生するのを抑制する効果が未だ十分とは言えないという問題がある。
【０００７】
また、蓄熱材入りマイクロカプセルを混入した表面剤を、壁などの内装材の表面に塗布して表面層を形成するものも特許文献２により知られている。
【０００８】
ところが、この特許文献２に示された従来例は、壁などの内装材の表面層に蓄熱材が混入してあるので、蓄熱材に蓄熱された熱が直接浴室内に放熱するものであり、したがって、この従来例も蓄熱材に蓄熱した熱を長時間にわたり徐々に放熱するものではなく、浴室内の温度よりも床の温度が長時間高い状態が続きにくく、内装材の表面層の温度が低くなると内装材の表面に付着した水滴を蒸発させることができず、また、蓄熱材に蓄熱した熱が浴室内に放熱されて内装材の表面層の温度が浴室内の温度よりも低くなった時点で浴室内の湿気が内装材の表面層に結露する現象が発生し、この従来例においても浴室床の表面にカビが発生するのを抑制する効果が未だ十分とは言えないという問題がある。
【０００９】
なお、蓄熱材入りのボードや床敷きとしては特許文献３や特許文献４もあるが、これらも、蓄熱材に蓄熱された熱を室内にいかにして徐々に放熱するかということについては開示してない。
【特許文献１】実開昭５７−１２３０９４号公報
【特許文献２】特開平１０−３１１６９３号公報
【特許文献３】特開２００３−１５５７８９号公報
【特許文献４】特開昭５９−５７６２５号公報
【発明の開示】
【発明が解決しようとする課題】
【００１０】
本発明は上記の従来の問題点に鑑みて発明したものであって、蓄熱材に蓄えられた熱を長時間にわたって徐々に浴室内に放熱して、長時間にわたり浴室構成部材の表面温度を室温よりも高い状態に保って、浴室構成部材の表面の乾燥状態を長時間にわたって防止してカビの発生を抑制することができる浴室構成部材の構造を提供することを課題とするものである。
【課題を解決するための手段】
【００１１】
上記課題を解決するために本発明に係る浴室構成部材の構造は、浴室の床又は壁又は天井を構成する浴室構成部材１の基材２の裏面に熱流を調整するための熱緩衝材３を介して蓄熱材４を設けると共に蓄熱材４の裏面に断熱材５を設け、上記熱緩衝材３の断熱性能が基材２よりも高く且つ断熱材５よりも低いことを特徴とするものである。
【００１２】
このような構成とすることで、入浴時に暖かな湯や暖かな水蒸気により浴室内が浴室の床又は壁又は天井を構成する浴室構成部材１よりも高温となるため、入浴時の排熱により浴室構成部材１に設けた蓄熱材４に熱が蓄熱される。一方、入浴が終了して換気扇を回すことで浴室内の温度が低下して、浴室構成部材１よりも低くなると、浴室構成部材１に設けた蓄熱材４に蓄えられた熱が熱緩衝材３を介して基材２の表面から浴室内に放熱され、浴室構成部材１の表面に付着している水滴が蒸発し、浴室構成部材１が乾燥する。これにより浴室構成部材１の表面に付着した有機物を含んだ水滴に発生するカビの繁殖を抑えることができる。ここで、本発明においては、基材２と蓄熱材４との間に断熱性能が基材２よりも高く且つ断熱材５よりも低い熱緩衝材３を介して放熱されるので、放熱が緩やかになり、熱緩衝材３がない場合に比べて長時間にわたって浴室内の室温よりも浴室構成部材１の温度が高い状態が続き、長時間にわたり、浴室構成部材１の乾燥状態が続き、蓄熱材４の放熱が終わって逆に浴室構成部材１の表面が浴室内の室温よりも低くなって、浴室構成部材１の表面に結露が発生するという現象も抑えることができる。
【００１３】
また、浴室の床又は壁又は天井を構成する浴室構成部材１の基材２の裏面に熱流を調整するための熱緩衝材３を介して蓄熱材４を混入した断熱材５を設け、蓄熱材４の混入割合を熱緩衝材３側が多く、熱緩衝材３と反対側が少なくなるように断熱材５中における蓄熱材４の混入量を傾斜的に分布させ、上記熱緩衝材３の断熱性能が基材２よりも高く且つ断熱材５よりも低いことを特徴とするものであってもよい。
【００１４】
このような構成とすることで、入浴時に暖かな湯や暖かな水蒸気により浴室内が浴室の床又は壁又は天井を構成する浴室構成部材１よりも高温となるため、入浴時の排熱により浴室構成部材１に設けた蓄熱材４に熱が蓄熱される。一方、入浴が終了して換気扇を回すことで浴室内の温度が低下して、浴室構成部材１よりも低くなると、浴室構成部材１に設けた蓄熱材４に蓄えられた熱が浴室内に放熱され、浴室構成部材１の表面に付着している水滴が蒸発し、浴室構成部材１が乾燥する。この際、蓄熱材４の混入割合を熱緩衝材３側が多く、熱緩衝材３と反対側が少なくなるように断熱材５中における蓄熱材４の混入量を傾斜的に分布させ、熱緩衝材３の断熱性能が基材２よりも高く且つ断熱材５よりも低くしてあるので、蓄熱材４に蓄熱された熱は基材２側に効果的に放熱され、これにより浴室構成部材１の表面に付着した有機物を含んだ水滴に発生するカビの繁殖を効果的に抑えることができる。ここで、本発明においては、基材２と蓄熱材４との間に熱緩衝材３を介して放熱されるので、放熱が緩やかになり、熱緩衝材３がない場合に比べて長時間にわたって浴室内の室温よりも浴室構成部材１の温度が高い状態が続き、長時間にわたり、浴室構成部材１の乾燥状態が続き、蓄熱材４の放熱が終わって逆に浴室構成部材１の表面が浴室内の室温よりも低くなって、浴室構成部材１の表面に結露が発生するという現象も抑えることができる。また、蓄熱材４を断熱材５中に混入するので、蓄熱材４入りの断熱材５の層が蓄熱層と断熱層とを兼用し、浴室構成部材１の層構成が簡略化でき、しかも、蓄熱材４の混入割合を熱緩衝材３側が多く、熱緩衝材３と反対側が少なくなるように断熱材５中における蓄熱材４の混入量を傾斜的に分布させることで、断熱材５中に蓄熱材４を混入したといえども、蓄熱材４への蓄熱が基材２側から効果的に行われ且つ裏面側に断熱層を形成して基材２側に放熱が効果的に行えるものである。
【発明の効果】
【００１５】
本発明は、浴室構成部材の基材の裏面に熱緩衝材を介して蓄熱材を設けることで、蓄熱材に蓄えられた熱を長時間にわたって徐々に浴室内に放熱して、長時間にわたり浴室構成部材の表面温度を室温よりも高い状態に保って、浴室構成部材の表面を長時間にわたって乾燥し、カビの発生を抑制でき、また、長時間にわたり浴室構成部材の表面温度を室温よりも高い状態に保てるので、浴室構成部材の表面温度が室温よりも低くなって浴室構成部材の表面に結露が発生するとう現象を抑制でき、この点でもカビの発生を抑制できるものであり、このように、本発明においては、従来のヒータや浴室乾燥機のようにランニングコストがかからず、また、省エネを図りながら浴室構成部材の表面にカビが発生するのを抑制することができるものである。
【発明を実施するための最良の形態】
【００１６】
以下、本発明を添付図面に示す実施形態に基いて説明する。
【００１７】
図１には本発明の一実施形態が示してある。浴室構成部材１は浴室の床又は壁又は天井を構成する部材であり、図１に示す実施形態においては、浴室構成部材１は基材２の裏面に熱流を調整するための熱緩衝材３を介して蓄熱材４を設け、更に蓄熱材４の裏面に断熱材５を設けて構成してある。
【００１８】
ここで、蓄熱材４に用いられる材料としては、コンクリートなどの顕熱蓄熱材、パラフィン、酢酸ナトリウム、硫酸ナトリウムなどの潜熱蓄熱材があり、いずれを用いてもよいが、本発明においては顕熱蓄熱材よりも潜熱蓄熱材を用いるほうがより好ましいものである。
【００１９】
また、熱緩衝材３は裏面の断熱材５よりも断熱性能が低く且つ表面の基材２よりも断熱性能が高い材料（例えば発泡ゴム、発泡ウレタン等の材料）により形成してある。言いかえれば、熱緩衝材３は裏面の断熱材５よりも容積比熱や熱伝導率が大きく且つ基材２よりも容積比熱や熱伝導率が小さくなっている。
【００２０】
上記の構成の浴室構成部材１により浴室の床や壁や天井を構成するものである。そして、入浴中の室内温度や、排水の熱により浴室の床や壁や天井を構成する浴室構成部材１に設けた蓄熱材４が加熱されて蓄熱材４に熱が蓄えられる。入浴終了後に換気扇をまわすことで、浴室内の室温が低下すると、浴室構成部材１に設けた蓄熱材４に蓄えられた熱が放熱する。この際、蓄熱材４の裏面に断熱材５が設けてあるので、蓄熱材４の熱は基材２側に放熱され、これにより、基材２の表面に付着した水滴などが蒸発し、基材２が乾燥するものである。このように基材２が乾燥することで、基材２の表面に付着した有機物を含んだ水滴に発生するカビの繁殖を抑えることができるものである。また、従来のようにヒータや浴室乾燥機のように電気エネルギーを必要としないので、省エネルギーとなると共に入浴の際の室内温度や排水の熱を利用しているのでランニングコストがかからないものであり、また、使用者はヒータや浴室乾燥機等のようにスイッチ操作をする必要がないものである。
【００２１】
ここで、本発明においては、基材２と蓄熱材４との間に熱緩衝材３を設けているので、蓄熱材３に蓄えられた熱が基材２側に放熱する際に熱緩衝材３を介して放熱が緩やかになり、熱緩衝材３の無い場合に比べて長時間にわたり、室温より基材２の温度が高い状態が続き、長時間にわたって基材２を加熱して乾燥でき基材２の乾燥効果が高くなるものである。しかも、このように長時間にわたって浴室内の温度よりも浴室構成部材１の基材２の表面温度が高くて基材２が乾燥した状態を維持できるので、浴室構成部材１の表面に結露が発生するという現象も抑えることができるものである。
【００２２】
次に、図２乃至図４には本発明の他の実施形態が示してある。本実施形態においては、浴室構成部材１は基材２の裏面に熱流を調整するための熱緩衝材３を介して蓄熱材４を混入した断熱材５を設けたものである。そして、断熱材５中への蓄熱材４の混入割合を熱緩衝材３側が多く、熱緩衝材３と反対側が少なくなるように断熱材５中における蓄熱材４の混入量を傾斜的に分布させてある。
【００２３】
本実施形態においても、熱緩衝材３は断熱材５よりも断熱性能が低く且つ表面の基材２よりも断熱性能が高い材料（例えば発泡ゴム、発泡ウレタン等の材料）により形成してある。言いかえれば、熱緩衝材３は裏面の断熱材５よりも容積比熱や熱伝導率が大きく且つ基材２よりも容積比熱や熱伝導率が小さくなっている。
【００２４】
また、本実施形態において蓄熱材４は図３に示すように、蓄熱材料４ａであるパラフィンや酢酸ナトリウム、硫酸ナトリウムなどをアクリル樹脂等の合成樹脂製の薄い外皮６で被覆して構成した微小なマイクロカプセルであり、このマイクロカプセルよりなる蓄熱材４の比重を断熱材５の比重と異ならせてある。つまり、断熱材５を成形するに当たって、断熱材５の材料中に、該断熱材５の材料に対して比重の大きな蓄熱材４を混入させて成形する場合は、上下方向に対してはマイクロカプセルよりなる蓄熱材４が沈み、これにより成形された断熱材４中における蓄熱材４の混入量は下程蓄熱材４の量が多く、上程蓄熱材４の量が少なくなるように上下方向に混入量が傾斜的に分布した図４（ａ）のようなものが形成される。また、断熱材５を成形するに当たって、断熱材５の材料中に、該断熱材５の材料に対して比重の小さな蓄熱材４を混入させて成形する場合は、上下方向に対してはマイクロカプセルよりなる蓄熱材４が浮き、これにより成形された断熱材４中における蓄熱材４の混入量は上程蓄熱材４の量が多く、下程蓄熱材４の量が少なくなるように上下方向に混入量が傾斜的に分布した図４（ｂ）のようなものが形成される。
【００２５】
このようにして、形成される蓄熱材４の混入量が厚み方向に傾斜的に分布した断熱材５は図４（ａ）、図４（ｂ）に示されるように、厚み方向の片側半分は蓄熱材４の混入量が多い蓄熱層７として機能し、厚み方向の他の片側半分は蓄熱材４の混入量が少ない断熱層８として機能することになる。
【００２６】
上記構成の蓄熱材４が厚み方向に傾斜的に分布した断熱材５は蓄熱材４の混入量が多い面（つまり蓄熱層７側の面）を熱緩衝材３の裏面に積層されるものである。
【００２７】
上記の構成の浴室構成部材１は前述の実施形態と同様に浴室の床や壁や天井を構成するものであり、入浴中の室内温度や、排水の熱により浴室の床や壁や天井を構成する浴室構成部材１に設けた蓄熱材４が加熱されて蓄熱材４に熱が蓄えられ、入浴終了後に換気扇をまわすことで、浴室内の室温が低下すると、浴室構成部材１に設けた蓄熱材４に蓄えられた熱が放熱する。この際、断熱材５中に蓄熱材４が熱緩衝材３側程混入量が多く、熱緩衝材３と反対側程混入量が少なくなっているので、蓄熱材４の熱は熱緩衝材３を介して基材２側に放熱され、これにより、基材２の表面に付着した水滴などが蒸発し、基材２が乾燥するものである。このように基材２が乾燥することで、基材２の表面に付着した有機物を含んだ水滴に発生するカビの繁殖を抑えることができるものである。また、従来のようにヒータや浴室乾燥機のように電気エネルギーを必要としないので、省エネルギーとなると共に入浴の際の室内温度や排水の熱を利用しているのでランニングコストがかからないものである。
【００２８】
本実施形態においては、熱緩衝材３を設けているので、蓄熱材３に蓄えられた熱が基材２側に放熱する際に熱緩衝材３を介して放熱が緩やかになり、熱緩衝材３の無い場合に比べて長時間にわたり、室温より基材２の温度が高い状態が続き、長時間にわたって基材２を加熱して乾燥でき基材２の乾燥効果が高くなるものである。しかも、このように長時間にわたって浴室内の温度よりも浴室構成部材１の基材２の表面温度が高くて基材２が乾燥した状態を維持できるので、浴室構成部材１の表面に結露が発生するという現象も抑えることができるものである。また、本実施形態においては、蓄熱材４を断熱材５中に混入するので、蓄熱材４入りの断熱材５の層が蓄熱層７と断熱層８とを兼用することになり、浴室構成部材１の層構成が簡略化することが可能となるものである。ここで、前述の実施形態に示すように、マイクロカプセルよりなる蓄熱材４の比重を断熱材５の比重よりも異ならせることで、蓄熱材４の混入量が傾斜的に分布した状態で断熱材５と蓄熱材４とが一体に成形でき、これにより製造が容易となるものある。
【図面の簡単な説明】
【００２９】
【図１】本発明の一実施形態の概略断面図である。
【図２】本発明の他の実施形態の概略断面図である。
【図３】同上に用いるマイクロカプセルよりなる蓄熱材を示す概略拡大断面図である。
【図４】（ａ）は同上に用いる蓄熱材入りの断熱材の製造に当たって蓄熱材の比重を断熱材の材料労よりも大きくした場合における説明図であり、（ｂ）は蓄熱材入りの断熱材の製造に当たって蓄熱材の比重を断熱材の材料労よりも小さくした場合における説明図である。
【符号の説明】
【００３０】
１  浴室構成部材
２  基材
３  熱緩衝材
４  蓄熱材
５  断熱材
【図１】
2005133316.tif 000003
【図２】
2005133316.tif 000004
【図３】
2005133316.tif 000005
【図４】
2005133316.tif 000006